【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
繊維基材、織物、織布、及び不織布材料に機械的特性、疎水性、又は親水性を与えるために、結合剤として適したバイオベースの高分子電解質錯体（ＰＥＣ）組成物で、繊維基材、織物、織布、及び不織布材料を処理する方法であって、前記ＰＥＣ組成物は、カチオン性バイオポリマー、アニオン性バイオポリマー、酸、及び防腐剤を含み、
−前記ＰＥＣの正味電荷はカチオン性であり、
−前記アニオン性バイオポリマー及び前記カチオン性バイオポリマーの電荷比は≦１であり、
−前記カチオン性バイオポリマーはキトサンであり、前記キトサンは６６％〜１００％の脱アセチル化度を有し、
−前記アニオン性バイオポリマーは天然由来のポリアニオンであり、
−前記酸はブレンステッド酸及び／又はルイス酸であり、前記ブレンステッド酸は任意の有機及び／又は無機酸から選択され、前記ルイス酸は任意のカチオン性の一価又は多価原子から選択され、
−カチオン性バイオポリマーとアニオン性バイオポリマーとの間の重量比は１：０．１〜１：２０であり、
−前記カチオン性バイオポリマーと酸との間の重量比は１：０．０１〜１：３０であり、
−ｐＨは７未満であり、
前記組成物は非水溶性粒子を更に含む、方法。
【請求項２】
ａ．ＰＥＣ組成物で前記繊維基材、織物、織布、及び不織布材料を処理する工程であって、
ｉ．繊維基材、織物、織布、及び不織布材料への懸濁液の添加、
ｉｉ．スプレーコーティング、
ｉｉｉ．ディップコーティング、
ｉｖ．ロールコーティング、
ｖ．含浸、
ｖｉ．パディング、
ｖｉｉ．スクリーンコーティング、
ｖｉｉｉ．印刷、
ｉｘ．ナイフコーティング、ブレードコーティング、巻き線棒コーティング、丸棒コーティング、及びクラッシュ発泡コーティングを含む直接コーティング法、
ｘ．マイヤーロッドコーティング、直接ロールコーティング、キスコーティング、グラビアコーティング、及びリバースロールコーティングを含む間接コーティング法、
ｘｉ．インクジェットおよび／またはスリットダイ／スロットダイ、
による工程と、
ｂ．任意選択的に、処理された繊維基材、織物、織布、及び不織布材料を硬化させる工程と、
を含む、請求項１に記載の方法。
【請求項３】
前記硬化は２０℃〜２００℃で行われる、請求項４に記載の方法。
【請求項４】
前記処理された繊維基材、織物、織布、及び不織布材料を硬化させる工程を更に含む、請求項２又は３に記載の処理方法。
【請求項５】
前記硬化は１２０℃〜１８０℃で行われる、請求項４に記載の方法。
【請求項６】
前記ＰＥＣ組成物の前記非水溶性粒子は、プラスチック粒子、及び／又はバイオプラスチック粒子、及び／又はタンパク質粒子、及び／又は疎水性粒子のうちの１以上を含む、請求項１〜５のいずれか１項に記載の方法。
【請求項７】
水道水、蒸留水、及び／又は脱イオン水から選択される水で前記ＰＥＣ組成物を希釈する工程と、前記希釈されたＰＥＣ組成物で繊維基材、織物、織布、及び不織布材料を処理する工程と、を含む、請求項２〜６のいずれか１項に記載の方法。
【請求項８】
繊維基材、織物、織布、及び不織布材料のための結合剤として適したバイオベースの高分子電解質錯体（ＰＥＣ）組成物であって、前記ＰＥＣ組成物は、カチオン性バイオポリマー、アニオン性バイオポリマー、酸、非水溶性可塑剤又は水溶性可塑剤、及び防腐剤を含み、
−前記ＰＥＣの正味電荷はカチオン性であり、
−前記アニオン性バイオポリマー及び前記カチオン性バイオポリマーの電荷比は≦１であり、
−前記カチオン性バイオポリマーはキトサンであり、前記キトサンは６６％〜１００％の脱アセチル化度を有し、
−前記アニオン性バイオポリマーは天然由来のポリアニオンであり、
−前記酸はブレンステッド酸及び／又はルイス酸であり、前記ブレンステッド酸は任意の有機及び／又は無機酸から選択され、前記ルイス酸は任意のカチオン性の一価又は多価原子から選択され、
−カチオン性バイオポリマーとアニオン性バイオポリマーとの間の重量比は１：０．１〜１：２０であり、
−前記カチオン性バイオポリマーと酸との間の重量比は１：０．０１〜１：３０であり、
−ｐＨは７未満であり、
前記組成物は、１００ｎｍ〜１ｍｍの範囲の粒径を有する非水溶性粒子を更に含み、前記非水溶性粒子は、プラスチック粒子、バイオプラスチック粒子、タンパク質粒子、及び疎水性粒子のうちの１以上である、ＰＥＣ組成物。
【請求項９】
ＰＥＣ：非水溶性粒子の重量比は１：０．０１〜１：５０である、請求項８に記載のＰＥＣ組成物。
【請求項１０】
ＰＥＣ：非水溶性粒子の重量比は１：０．０５〜１：２０である、請求項８に記載のＰＥＣ組成物。
【請求項１１】
ＰＥＣ：非水溶性粒子の重量比は１：０．１〜１：１０である、請求項８に記載のＰＥＣ組成物。
【請求項１２】
ＰＥＣ：非水溶性粒子の重量比は１：０．５〜１：１である、請求項８に記載のＰＥＣ組成物。
【請求項１３】
前記アニオン性バイオポリマーは、リグニンアルカリ、リグノスルホン酸、及び多糖類からなる群より選択され、前記アニオンの濃度は０．００５〜３０である、請求項８〜１２のいずれか１項に記載のＰＥＣ組成物。
【請求項１４】
前記アニオン性バイオポリマーは、カルボキシメチルセルロース（ＣＭＣ）、アルギン酸、ペクチン、カラギーナン、アラビアガム、およびナノ結晶セルロース（ＮＣＣ）からなる群より選択される、請求項１３に記載のＰＥＣ組成物。
【請求項１５】
前記酸の濃度は０．０１〜３０重量％であり、前記酸は、酢酸、アセチルサリチル酸、アジピン酸、ベンゼンスルホン酸、カンファースルホン酸、クエン酸、ジヒドロキシフマル酸、ギ酸、グリコール酸、グリオキシル酸、塩酸、乳酸、リンゴ酸、マロン酸、マレイン酸、マンデル酸、シュウ酸、パラ−トルエンスルホン酸、フタル酸、ピルビン酸、サリチル酸、硫酸、酒石酸、及びコハク酸からなる群より選択される、請求項８〜１４のいずれか１項に記載のＰＥＣ組成物。
【請求項１６】
前記酸の濃度は０．０１〜３０重量％であり、前記酸は、クエン酸、シュウ酸、又は酒石酸である、請求項１５に記載のＰＥＣ組成物。
【請求項１７】
前記ＰＥＣ組成物は水を更に含み、前記水は水道水、蒸留水、及び／又は脱イオン水から選択される、請求項８〜１６のいずれか１項に記載のＰＥＣ組成物。
【請求項１８】
前記ｐＨは１．８〜４の区間内である、請求項８〜１７のいずれか１項に記載のＰＥＣ組成物。
【請求項１９】
少なくとも０．０４重量％のＰＥＣを含むみ、キトサンの濃度は０．００５〜３０重量％である、請求項８〜１８のいずれか一項に記載のＰＥＣ組成物。
【請求項２０】
前記組成物は、消泡剤、発泡剤、湿潤剤、合着剤、触媒、界面活性剤、乳化剤、保存剤、架橋剤、レオロジー調整剤、ノニオン性ポリマー、染料、顔料からなる群より選択された１以上の添加剤を含む、請求項８〜１９のいずれか一項に記載のＰＥＣ組成物。
【請求項２１】
０．００５〜１０重量％の防腐剤を含み、前記防腐剤は、防かび剤、殺菌剤、医薬品防腐剤、化粧品防腐剤、及び／又は食品防腐剤から選択され、前記食品防腐剤は、安息香酸、安息香酸ナトリウム、ヒドロキシ安息香酸及びこれらの誘導体、乳酸、プロピオン酸及びプロピオン酸ナトリウム、二酸化硫黄及び亜硫酸塩、ソルビン酸及びソルビン酸ナトリウム、アスコルビン酸、アスコルビン酸ナトリウム、ブチルヒドロキシトルエン、ブチルヒドロキシアニソール、没食子酸及び没食子酸ナトリウム、並びにトコフェロールから選択され、前記防かび剤又は殺菌剤は１，２−ベンゾイソチアゾール−３−オンから選択され、前記化粧品防腐剤は２−メチル−４−イソチアゾール−３−オンから選択され、前記医薬品防腐剤は２−ブロモ−２−ニトロ−１，３−プロパンジオールから選択される、請求項８〜２０のいずれか一項に記載のＰＥＣ組成物。
【請求項２２】
前記非水溶性可塑剤は天然ベースである、請求項８〜２１のいずれか一項に記載のＰＥＣ組成物。
【請求項２３】
前記非水溶性可塑剤は、ポリエチレングリコール、トリアセチン、ジブチルセバケート、エポキシ化大豆油、イソソルビドエステル、イソソルビドジエステル、クエン酸トリエチル、クエン酸トリブチル、コハク酸ジエチル、グルタル酸ジメチル、アジピン酸ジメチル、コハク酸ジメチル、オレイン酸グリセリル、リノール酸グリセリル、パルミチン酸グリセリル、アジピン酸ジエチル、ジステアリン酸ソルビタン、ステアリン酸グリセリル、ジステアリン酸スクロース、レイプシードメチルエステル、アジピン酸ジエチルヘキシル、ソルビタントリステアレート、アジピン酸ジイロプロピル、コハク酸ジエチルヘキシル、モノステアリン酸グリセリル、ジステアリン酸スクロース、コハク酸ジメチル、クエン酸−２−アセチルトリブチル、クエン酸アセチルトリブチル、エステルアミドオリゴマーからなる群の１つ以上より選択される、請求項２２に記載のＰＥＣ組成物。
【請求項２４】
前記バイオプラスチック粒子は、ポリ乳酸（ＰＬＡ）（及びＬ−ＰＬＡ、Ｄ−ＰＬＡ、ＤＬ−ＰＬＡ、ＰＬＧＡ、ＰＤＬＡ等のｃｏ−コポリマー）、ポリヒドロキシアルカノエート（ＰＨＡ）（及びＰＨＢ、ＰＨＢＶ、Ｐ３ＨＢ、Ｐ４ＨＢ、ＰＨｂＨＨｘ、Ｐ（３ＨＢ−ｃｏ  ２０％ｍｏｌ−３ＨＶ、Ｐ（３ＨＢ−ｃｏ  ４ＨＢ）、Ｐ（３ＨＢ−ｃｏ  ６％ｍｏｌ−３ＨＡ）、Ｐ（３ＨＢ−ｃｏ  ４ＨＰ）、Ｐ（３ＨＢ−ｃｏ  ３ＨＨＸ）、ＰＨＢＨＨｘ等のこの変形）、エチルセルロース、アセチルセルロース、ポリカプロラクトン、熱可塑性デンプン、ポリブチレンサクシネートのうちの１以上から選択され、
前記タンパク質粒子は、エンドウ豆タンパク質、バイタル小麦グルテン、小麦グルテン、ルピナスタンパク質、ダイズタンパク質、ダイズタンパク質、トウモロコシタンパク質、ゼインタンパク質、ピーナツタンパク質、カゼイン、並びに分離株及び／又は粉としての類似の植物ベース又は酵母ベースのタンパク質、又はハイドロフォビン（約１００〜１５０のアミノ酸の小タンパク質であり、例えば概して８システイン単位を有するスエヒロタケ等の糸状菌の特徴である）、ケラチン、魚タンパク質等の動物性タンパク質、アルブミン、乳タンパク質、並びに非限定的な例として、ナッツ、種子、穀物、及び豆類、特にアーモンド、ブラジルナッツ、カシューナッツ、クルミ、ペカン、ヘーゼルナッツ、マカダミアナッツ、ヒマワリの種、カボチャの種、トウモロコシ等を含む植物性タンパク質のその他の供給源、又は余剰汚泥、肥料、及び堆肥等のタンパク質含有バイオマスのうちの１以上から選択され、
前記プラスチックは、ポリエステル、ポリエチレンテレフタレート、ポリエチレン、高密度ポリエチレン、ポリ塩化ビニル、ポリ塩化ビニリデン、低密度ポリエチレン、ポリプロピレン、ポリスチレン、耐衝撃性ポリスチレン、ポリアミド、アクリロニトリルブタジエンスチレン、ポリエチレン／アクリロニトリルブタジエンスチレン、ポリカーボネート、ポリカーボネート／アクリロニトリルブタジエンスチレン、ポリカーボネート、ポリカーボネート／アクリロニトリルブタジエンスチレン、ポリウレタン、マレイミド／ビスマレイミド、メラミンホルムアルデヒド、フェノール類、ポリエポキシド、ポリエーテルエーテルケトン、ポリエーテルイミド、ポリイミド、ポリメチルメタクリレート、ポリテトラフルオロエチレン、尿素ホルムアルデヒド、フラン樹脂、シリコーン、ポリスルホン、及びポリオキシメチレンのうちの１以上から選択され、
前記固体ワックスは、２７℃〜２２０℃の融点を有する植物ワックス、動物ワックス、鉱物、合成ワックス、及び／又は石油由来ワックスであり、前記植物ワックス及び動物ワックスは、シロヤマモモ蝋、カンデリラワックス、カルナウバワックス、ヒマシワックス、エスパルトワックス、木蝋、オウリキュリー（ｏｕｒｉｃｕｒｙ）ワックス、ライスワックス、ダイズワックス、ナンキンハゼワックス、蜜蝋、中国蝋、ラノリンワックス（ウールワックス）、シェラックワックス、鯨蝋、及びこれらの混合物からなる群より選択され、前記鉱物、合成ワックス、及び石油由来ワックスは、パラフィンワックス、マイクロクリスタリンワックス、セレシンワックス、モンタンワックス、オゾセライトワックス、ポリエチレンワックス、及びピートワックスからなる群より選択され、
前記樹脂は、０℃〜３５℃の温度で固体であり、アスファルタイト及びユタ樹脂、シェラック、コーパル、ダンマル、マスチック、及びサンダラック、フランキンセンス、エレミ、テルペンチン、コパイバ、ゴム樹脂、アレッポマツ樹脂、ビスフェノールＡジグリシジルエーテル、並びにシリコーン樹脂からなる群より選択された、植物及び／又は動物及び／又は石油由来樹脂及び／又は合成樹脂である、請求項８〜２３のいずれか１項に記載のＰＥＣ組成物。
【請求項２５】
前記プラスチックは、ポリカプロラクトン、ポリエチレンテレフタレート、ポリエチレン、ポリプロピレンから選択される、請求項２４に記載のＰＥＣ組成物。
【請求項２６】
前記樹脂は、フラン、ロジン、及びゴム樹脂等の植物系樹脂から選択される、請求項１〜１１２４のいずれか１項に記載のＰＥＣ組成物。
【請求項２７】
前記ＰＥＣ組成物は、キトサン、ＣＭＣ、及びクエン酸を含む、請求項８〜２６のいずれか１項に記載のＰＥＣ組成物。
【請求項２８】
前記ＰＥＣ組成物は、０．７５〜６重量％のキトサン、０．７５〜６重量％のＣＭＣ、及び０．７５〜６重量％のクエン酸を含む、請求項２７に記載のＰＥＣ組成物。